(57)【特許請求の範囲】
【請求項１】
パネル本体を表皮材によって被覆した縦型の表皮材付きパネルを、テーブル等の什器に設けた取付け具に高さ調節可能として支持するようにした表皮材付きパネルの支持構造において、前記パネル本体の両側部に複数のねじ孔を上下方向に並べて設け、前記表皮材を、前記パネル本体のほぼ全面を密接状態で被覆する着脱可能な袋状とするとともに、前記表皮材におけるパネル本体のねじ孔に対応する部分に、常時閉状態のスリット状の雄ねじ挿通孔を設け、前記取付け具に設けた雄ねじを、前記雄ねじ挿通孔を通して、パネル本体の複数のねじ孔に選択的に螺合させることにより、パネル本体を所望の高さで支持しうるようにしたことを特徴とする表皮材付きパネルの支持構造。
【請求項２】
取付け具を、雄ねじの一端に有頭ピンを備える段付きねじとし、前記有頭ピンを、テーブル等の什器に設けたブラケットの基片に穿設した掛止孔に係止するようにした請求項１記載の表皮材付きパネルの支持構造。
【請求項３】
掛止孔を、有頭ピンの頭部が挿通しうる大径孔の下部に、前記頭部より小径でかつピン部より大径の小径孔を連設した達磨孔状とした請求項２記載の表皮材付きパネルの支持構造。
【請求項４】
ブラケットを、テーブル等の什器に上下方向に等間隔に穿設した複数の係止孔に選択的に係止しうるようにした係止爪を有するものとした請求項２または３記載の表皮材付きパネルの支持構造。
【請求項５】
表皮材を、両側縁と下縁とが連続して開口する袋状とし、前記開口をファスナーにより開閉しうるようにした請求項１〜４のいずれかに記載の表皮材付きパネルの支持構造。
【請求項６】
パネル本体を表皮材によって被覆した縦型の表皮材付きパネルを、テーブル等の什器に設けた取付け具に高さ調節可能として支持するようにした表皮材付きパネルの支持構造において、前記表皮材を、両側縁部に開口を有するとともに、各開口に、上下より開閉しうる閉具を備えたファスナーを設けた袋状のものとし、前記パネル本体の両側端部に、前記取付け具における腕部の先端部を上下位置調節可能として止着し、前記腕部を前記表皮材の開口に挿通させて、該開口に設けたファスナーの閉具を腕部に当接するまで上下より閉めることにより、パネル本体の両側端を、腕部の挿通部を除いて隠蔽しうるようにしたことを特徴とする表皮材付きパネルの支持構造。
【請求項７】
取付け具における腕部の基端部に、下部が小径の段付きピンを連設し、該段付きピンを、テーブル等の什器に設けたブラケットの先端部に固着した筒体の上端開口に嵌合した請求項６記載の表皮材付きパネルの支持構造。
【発明の詳細な説明】
【０００１】
【発明の属する技術分野】
本発明は、例えばオフィス等において、テーブル等の什器に、目隠しまたは仕切り用の表皮材付きパネルを、高さ調節可能として支持する支持構造に関する。
【０００２】
【従来の技術】
表面が布等の表皮材で覆われた表皮材付きパネルを、ほぼ垂直として、テーブル等の天板の側縁部に、間仕切り用または目隠し用等として高さ調節可能に取付けることが知られている。
【０００３】
このような従来の表皮材付きパネルは、板材をフレームで囲んだパネル本体の表面に、着色布等の表皮材を糊付け等によって一体的に固着した構成とし、このような表皮材付きパネルを、テーブルの天板や脚部等に取付けたパネル支持具に、止めねじ等の締結具をもって止着している。
【０００４】
【発明が解決しようとする課題】
しかし、上述した従来のものでは、テーブルにパネル表面を締結して取付ける構成となっているため、パネルの表皮材が締結具等による差込み、圧迫または摩擦等によって損傷し易いという不具合がある。また、着脱に手間がかかったり、取付け高さの調節が面倒な場合も多く、さらに締結具等がテーブル表面に突出して、テーブル上での執務作業に支承を生じることもある。
【０００５】
また、上述した従来の表皮材付きパネルの構造では、パネル本体に対して表皮材が一体的に固着されているため、パネル表面の汚れや変色等に対して表皮材を交換する場合、大掛かりな張り替え作業や、板体毎の交換等が必要であり、これが面倒である場合にはパネル全体を交換している。趣向の変化あるいはオフィスのレイアウト変更や、転居等の際の採光状態の変化等に伴い、表皮材の色彩や模様等を変更する場合も同様である。
【０００６】
さらに、表皮材が繊維質であるような場合、衛生面等を考慮して洗浄しようとしても、パネル本体等に装着したままで行わなければならいため面倒であり、場合によって糊付け部が剥離する等の不具合もある。また、パネルの廃棄処分等に際し、金属製パネル本体と繊維製表皮材とを分別するために多くの手間が必要となる等、処分上での不便もある。
【０００７】
そこで、発明者等においては、例えば表皮材をパネル本体に対して容易に着脱でき、それにより種々の変更使用や洗浄等についての利便性を向上し、さらに廃棄処分時の分別も容易に行える表皮材付きパネルの開発を行っている。
【０００８】
ところが、このような表皮材付きパネルをテーブルに着脱する場合には、単にパネル表面を締結する上述した従来の取付け構造では表皮材が損傷し易く利便性が発揮できない。また、パネル本体の高さ調整等も不便であり、さらにその高さ調整による取付け位置の変更によって、元の取付け位置にあった表皮材の締結具挿通用の孔等が表出して外観が低下する等の問題もある。
【０００９】
本発明は、上述の問題点に鑑み、表皮材付きパネルのテーブル等の什器への着脱、高さ変更等に際し、表皮材が健全に維持できるとともに、着脱および高さ調整等の作業が容易に行え、かつ取付け具等がテーブル表面に突出することなく、テーブル上での執務作業が支承なく行え、しかも表皮材がパネル本体に対して容易に着脱できるような構造のパネルを適用する場合にも、その機能を十分に発揮でき、さらに良好な外観維持が図れるようにした、表皮材付きパネルの支持構造を提供することを目的とする。
【００１０】
【課題を解決するための手段】
本発明によると、上記課題は、次のようにして解決される。
【００１１】
(１) パネル本体を表皮材によって被覆した縦型の表皮材付きパネルを、テーブル等の什器に設けた取付け具に高さ調節可能として支持するようにした表皮材付きパネルの支持構造において、前記パネル本体の両側部に複数のねじ孔を上下方向に並べて設け、前記表皮材を、前記パネル本体のほぼ全面を密接状態で被覆する着脱可能な袋状とするとともに、前記表皮材におけるパネル本体のねじ孔に対応する部分に、常時閉状態のスリット状の雄ねじ挿通孔を設け、前記取付け具に設けた雄ねじを、前記雄ねじ挿通孔を通して、パネル本体の複数のねじ孔に選択的に螺合させることにより、パネル本体を所望の高さで支持しうるようにする。
【００１２】
(２) 前記(１)項において、取付け具を、雄ねじの一端に有頭ピンを備える段付きねじとし、前記有頭ピンを、テーブル等の什器に設けたブラケットの基片に穿設した掛止孔に係止するようにした請求項１記載の表皮材付きパネルの支持構造。
【００１３】
(３) 前記(２)項において、掛止孔を、有頭ピンの頭部が挿通しうる大径孔の下部に、前記頭部より小径でかつピン部より大径の小径孔を連設した達磨孔状とする。
【００１４】
(４) 前記(２)または(３)項において、ブラケットを、テーブル等の什器に上下方向に等間隔に穿設した複数の係止孔に選択的に係止しうるようにした係止爪を有するものとする。
【００１５】
(５) 前記(１)〜(４)項のいずれかにおいて、表皮材を、両側縁と下縁とが連続して開口する袋状とし、前記開口をファスナーにより開閉しうるようにする。
【００１６】
(６) パネル本体を表皮材によって被覆した縦型の表皮材付きパネルを、テーブル等の什器に設けた取付け具に高さ調節可能として支持するようにした表皮材付きパネルの支持構造において、前記表皮材を、両側縁部に開口を有するとともに、各開口に、上下より開閉しうる閉具を備えたファスナーを設けた袋状のものとし、前記パネル本体の両側端部に、前記取付け具における腕部の先端部を上下位置調節可能として止着し、前記腕部を前記表皮材の開口に挿通させて、該開口に設けたファスナーの閉具を腕部に当接するまで上下より閉めることにより、パネル本体の両側端を、腕部の挿通部を除いて隠蔽しうるようにする。
【００１７】
(７) 前記(６)項において、取付け具における腕部の基端部に、下部が小径の段付きピンを連設し、該段付きピンを、テーブル等の什器に設けたブラケットの先端部に固着した筒体の上端開口に嵌合する。
【００１８】
【発明の実施の形態】
以下、本発明の実施の形態について図面を参照して説明する。
【００１９】
＜第１の実施形態(図１〜図７)＞
図１は本発明の第１の実施形態を備えるテーブルの全体を示す斜視図であり、図２は同テーブルの部品構成を示す分解斜視図である。図３は図１および図２に示した表皮材付きパネルの部品構成を示す分解斜視図であり、図４は図２におけるＡ部の拡大図である。まず、これらの図１〜図４によって、表皮材付きパネルを支持するテーブルの概略構成および同パネルの構成等について説明する。
【００２０】
図１および図２に示すように、本実施形態におけるテーブル(１)は、長方形状の天板(２)およびその４隅部を支持する脚部(３)を有するテーブル本体(４)の隣接する２側縁部に、２枚の縦型の表皮材付きパネル(５)(５)を取付けた構成となっている。各表皮材付きパネル(５)(５)は幅が異なるのみで、その構成および取付け構造はほぼ同一である。
【００２１】
表皮材付きパネル(５)は図３に示すように、四角形状のパネル本体(６)と、このパネル本体(６)の全面をほぼ密接状態で被覆する偏平な四角形状の袋状の表皮材(７)とからなっている。パネル本体(６)は、金属製のフレーム(８)と、このフレーム(８)の内側の全面に取付けれらた四角形状の板体(９)とからなっている。
【００２２】
パネル本体(６)のフレーム(８)は、左右で対向する１対の側辺部材(8a)(8a)と、これらの側辺部材(8a)と組合う上下辺部材(8b)(8c)と、これらが組合う各隅角部に配されるコーナ部材(8d)(8d)(8d)(8d)とからなり、各部材(8a)〜(8d)は内縁側が凹んだチャンネル材で構成されている。このうち、左右の側辺部材(8a)(8a)に、テーブル取付け具としての雄ねじと螺合するための複数のねじ孔(９)が上下方向に等間隔をもって穿設されている。各ねじ孔(９)は、図４に示すように、フレーム(８)の内側に固着したナット(10)によって形成されている。
【００２３】
パネル本体(６)の板体(９)は、その周辺をフレーム(８)の内縁側の凹部に嵌合することにより、フレーム(８)に一体的に固定保持されて組立てられている。この板体(９)は、ピン刺し可能な材質、例えば柔軟軽質な一体木材、あるいは多孔質の木片圧搾材等からなる木質材等により構成され、いわゆるインシュレーションボードとなっている。
【００２４】
一方、パネル本体(６)の表面を覆う表皮材(７)は、四角形状の偏平な袋状をなす構成とされている。この表皮材(７)は、パネル本体(６)の両側縁部から下側縁部の全体に亘る部位に対応する長い開口部(11)を有し、下側全体が開口でき、この開口部(11)を介してパネル本体(６)にその上縁側から下方に向けて着脱可能に装着されるようになっている。
【００２５】
この表皮材(７)の開口部(11)は、左右１対の閉具(12a) を有するジッパー式のファスナー(12)(12)によって、前後に開閉可能とされている。即ち、ファスナー(12)は、それぞれ閉具(12a) を上方から下方に移動することにより、開口部(11)を閉着することができる構成とされている。この表皮材(７)は、例えば織物、フェルトその他の繊維質材料によって構成され、これにより画鋲等のピンを容易に差し込むことができるようになっている。
【００２６】
また、表皮材(７)の左右両側縁位置の一側面には、ボタン孔状の雄ねじ挿通孔(13)が上下方向に等間隔をもって複数形成されている。この雄ねじ挿通孔(13)の数および配置は、パネル本体(６)に被せた時、そのパネル本体(６)のフレーム(８)の左右の側辺部材(8a)(8a)に設けたねじ孔(９)と一致し、そのねじ孔(９)を外側から常時閉状態とするようになっている。
【００２７】
次に、このような表皮材付きパネル(５)のテーブル本体(４)に対する取付け構造について、図５〜７も参照して説明する。図５はテーブル本体(４)への表皮材付きパネル(５)の取付け部分を拡大し、一部断面として示す側面図である。図６は図５のＢ−Ｂ線断面図であり、図７は図５の部分的な横断平面図である。
【００２８】
本実施形態においては、テーブル本体(４)側に設けられたブラケット(14)に、表皮材付きパネル(５)側に設けられた取付け具としての段付きねじ(15)を掛止することにより、表皮材付きパネル(５)がワンタッチ式にテーブル本体(４)に取付けられている。
【００２９】
すなわち、図４〜図７に示すように、ブラケット(14)は、横断面において掛止片(14a)と基片(14b)とがほぼＴ字状に直交する如く折曲した縦板状のもの、より詳細には、横断面において掛止片(14a)の連設部分を、基片(14b)の一方の側端から中間部まで傾斜させて傾斜片(14c)とし、掛止片(14a)の先端側が基片(14b)に直交する全体としてほぼＴ字に似た形状としている。このブラケット(14)の掛止片(14a)の先端部に複数の下向き(一部のものは上下両向き)のフック状の掛止爪(16)が上下に等間隔に突設されるとともに、基片(14b)には上下１対の達磨孔、つまり上側の大径孔(18a)の下部中央に下側の小径孔(18b)を連設した掛止孔(18)が、上下に１対穿設されている。
【００３０】
そして、このブラケット(14)の掛止片(14a)を、テーブル本体(４)の天板(２)の縁辺と直交する配置として、掛止爪(16)を、テーブル本体(４)の脚部(３)の上部外周面に穿設した複数の係止孔(17)に着脱可能に係止することにより、ブラケット(14)の基片(14b)がテーブル本体(４)の縁辺と平行となり、かつその縁辺よりも若干外側に突出した状態となって、そのテーブル本体(４)に掛止されている。
【００３１】
段付きねじ(15)は、一端に小径の雄ねじ(19)を有するピン部(20)と、そのピン部(20)の他端に形成された大径鍔状の頭部(21)とを備えている。この段付きねじ(15)の一端の雄ねじ(19)を、パネル本体(６)のねじ孔(９)から選択した上下１対のものに、表皮材(７)の雄ねじ挿通孔(13)を通してそれぞれ螺締することにより、１対の段付きねじ(15)の頭部(21)がパネルの一側面側から平行に突出するようになっている。
【００３２】
なお、この段付きねじ(15)の螺挿位置における表皮材(７)の表面側には、段付きねじ(15)の雄ねじ(19)のみ挿通できる孔(22)を穿設した平坦なプレート(23)がともに締めされている。これにより、表皮材(７)の雄ねじ挿通孔(13)の外周部が表面側から一定面積で均等な面接触状態において保持されるようになっている。
【００３３】
この上下の段付きねじ(15)の大径の頭部(21)を、ブラケット(14)の基片(14b)に穿設した上下１対の掛止孔(18)の大径孔(18a)にそれぞれ挿通し、かつピン部(20)を小径孔(18b)に落とし込むことにより、表皮材付きパネル(５)は、ブラケット(14)に倒れることなく、容易に掛止される。
【００３４】
この場合の操作は、テーブル本体(４)の外側からの掛止によって容易に行えることから、作業者がテーブル本体(４)の天板(２)の下に潜り込む等の面倒な作業は必要としない。したがって、例えば図１に示すように、テーブル本体(４)の隣接する２辺に２枚の表皮材付きパネル(５)を取付けるような場合においても、テーブル本体(４)の外側から容易に取付け作業を行うことができる。
【００３５】
この取付けの際には、表皮材付きパネル(５)の表皮材(７)に設けたボタン孔状の雄ねじ挿通孔(13)のうち該当する位置にあるものを開状態として段付きねじ(15)の雄ねじ(19)を選択的に挿通すればよく、したがって段付きねじ(15)の挿通によって表皮材(７)が破損するようなことはない。また、この場合、段付きねじ(15)を通す必要のない他の雄ねじ挿通孔(13)は、閉状態のままとなっているので、パネル本体(６)のねじ孔(９)の表面側を塞いでおり、表皮材付きパネル(５)の外観を体裁よく維持することができる。
【００３６】
一方、パネル取外しの際には、前記の取付け時と逆の操作を行えばよく、この作業も容易に行うことができる。
【００３７】
また、パネル取付け高さを調整する場合には、表皮材付きパネル(５)のねじ孔(９)に対する段付きねじ(15)の螺合位置を変更するだけでよいから、この作業も容易に行えるとともに、その際に表皮材(７)の雄ねじ挿通孔(13)は前記同様に開または閉状態で使用されるだけであるから段付きねじ(15)の着脱によって表皮材(７)が破損するようなことはない。
【００３８】
しかも、以上の構成のもとでは、表皮材付きパネル(５)の取付け用部品が全てテーブル本体(４)の天板(２)の下方に配置されるものであるから、パネル取付け状態あるいは取外し状態のいずれの状態においても、テーブル表面側への突出部が生じることがないため、テーブル上での執務作業に支承を生じることが全くない。
【００３９】
＜第２の実施形態(図８〜図１２)＞
本実施形態は、前述した第１の実施形態に対し、表皮材付きパネル(５)、ブラケット(14)、段付きねじ(15)等の構成を変更したものである。図８は本実施形態における表皮材付きパネルの部品構成を示す分解斜視図であり、図９はブラケットおよび取付け具等の構成を示す分解斜視図である。図１０はテーブル本体への表皮材付きパネルの取付け部分を拡大し、一部を断面として示す側面図である。図１１は図１０のＣ−Ｃ線断面図であり、図１２は図１０のＤ−Ｄ線断面図である。
【００４０】
本実施形態においては、図８に示すように、表皮材付きパネル(５)のパネル本体(６)が四角形状をなすとともに、その左右の端面に上下方向を向く窪み部(24)(24)が形成されている。この各窪み部(24)の奥端面(24a)に、複数のねじ孔(25)が上下に等間隔をもって設けられている。表皮材(７)は、パネル本体(６)の両側縁部の左右両端から若干内方に亘る部位に対応する左右１対の短い開口部(11)(11)を有しており、パネル本体(６)に対して横方向から着脱できるようになっている。
【００４１】
この表皮材(７)の各開口部(11)には、これらを上下方向から閉じる１対の閉具(12a)(12a)を有するファスナー(12)がそれぞれ設けられている。そして、これらの各開口部(11)は、パネル本体(６)の各ねじ孔(25)をそれぞれ開閉できることから、第１の実施形態におけるスリット状の雄ねじ挿通孔(13)と同様の機能を有している。なお、パネル本体(６)の板体(９)は、パネル本体(６)の上部のみに設けている。
【００４２】
図９〜図１２に示すように、ブラケット(14)は、上面が開口する縦長な筒体(27)を有し、この筒体(27)の外周面に、テーブル本体(４)の脚部(３)の上部に設けた係止孔(17)に着脱可能に係止される第１の実施形態と同様の係止爪(16)を有する掛止片(14a)が突設されている。
【００４３】
また、ブラケット(14)に対応する取付け具(26)は、ブラケット(14)の筒体(27)に掛止される被掛止部として、その筒体(27)の上端の開口に小径の下部が嵌合される段付きピン(28)を有している。また、この取付け具(26)は、パネル本体(６)の窪み部(24)の底部(24a)に外側から当接する縦板部(29)と、パネル本体(６)の窪み部(24)から出てテーブル本体(４)側の面にほぼＵ字形に折曲された腕部(30)を有し、この腕部(30)の先端に前記の段付きピン(28)が連結されている。
【００４４】
縦板部(29)には、パネル本体(６)のねじ孔(25)に対応する上下１対の雄ねじ挿通孔(31)(31)が設けられ、これらの雄ねじ挿通孔(31)(31)を通して１対の止めねじ(32)(32)がそれぞれパネル本体(６)のねじ孔(25)に螺合され、これにより段付きピン(28)を有する取付け具(26)が表皮材付きパネル(５)に連結されている。
【００４５】
しかして、パネル取付け時においては、段付きねじ(26)の段付きピン(28)をブラケット(14)の筒体(27)に上方から嵌合して掛止させることにより、表皮材付きパネル(５)をテーブル本体(４)に容易に取付けることができる。この場合の操作は、前記第１実施形態と同様に、テーブル本体(４)の外側からの掛止によって行えるので、容易に取付け作業を行うことができる。
【００４６】
この取付けの際には、表皮材付きパネル(５)の開口部(11)を開状態として、止めねじ(32)を取付け具(26)の雄ねじ挿通孔(31)に通し、かつねじ孔(25)に螺締すればよく、したがって本実施形態においても、表皮材(７)が破損するようなことはない。また、この場合、止めねじ(32)を通す必要のないねじ孔(25)については、上下配置の各ファスナー(12)の閉具(12a)を、腕部(30)に当接するまで、上下方向から閉じることにより、隠蔽することができ、これにより表皮材付きパネル(５)の外観を体裁よく維持することができる。パネル取外しの際には、前記の取付け時と逆の操作を行えばよく、この作業も容易に行うことができる。
【００４７】
また、パネル取付け高さを調整する場合には、表皮材付きパネル(５)のねじ孔(25)に対する取付け具(26)の止めねじ(32)による螺合位置を変更することにより、で容易に行えるとともに、表皮材(７)が破損することもない。
【００４８】
しかも、以上の構成のもとでは、第１の実施形態と同様に、表皮材付きパネル(５)の取付け用部品が全てテーブル本体(４)の天板(２)の下方に配置されるものであるから、パネル取付け状態あるいは取外し状態のいずれの状態においても、テーブル表面側への突出部が生じることがないため、テーブル上での執務作業に支承を生じることがない。
【００４９】
したがって、本実施形態においても、第１の実施形態とほぼ同様の効果が奏される他、パネル周縁側に取付け具を配置する場合に前記効果が良好に発揮でき、また表皮材へのボタン孔状等のスリット形成等が不要となり、表皮材の構成の簡素化が図れる。さらに、取付け具の構成の簡素化が図れるとともに、テーブル体への取付けが一層容易に行え、またパネルの周縁側に取付け具を配置するものであるにも拘らず、側方への突出量を少なくすることができる等の利点が得られる。
【００５０】
【発明の効果】
本発明によれば、下記の効果を奏することができる。
請求項１記載の発明によれば、表皮材付きパネルのテーブル本体への着脱、高さ変更等に際し、表皮材が健全に維持できるとともに、着脱および高さ調整等の作業が容易に行える。また、取付け具等がテーブル表面に突出することなく、テーブル上での執務作業が支承なく行える。しかも表皮材をパネル本体に対して容易に着脱できるとともに、良好な外観維持が図れる。
【００５１】
請求項２記載の発明によれば、表皮材付きパネルを、段付きねじとともに、什器側のブラケットに対して、簡単に着脱することができる。
【００５２】
請求項３記載の発明によれば、構造を簡素化できるとともに、取付け具とブラケットとの係合部分を薄型化できるとともに、目立たなくすることができる。
【００５３】
請求項４記載の発明によれば、テーブル等の什器に対して、ブラケットや段付きねじの高さ調節を行なうことができる。
【００５４】
請求項５記載の発明によれば、パネル本体への表皮材の着脱が容易に行え、かつパネルの廃棄時に、表皮材をパネル本体から容易に分別することができる。
【００５５】
請求項６記載の発明によれば、請求項１記載の発明の効果とほぼ同様の効果を奏することができる他に、表皮材へのボタン孔状等のスリット形成等が不要となり、表皮材の構成の簡素化が図れる。
【００５６】
請求項７記載の発明によれば、パネルを、段付きピンとともに、ブラケットに対して容易に着脱することができる。
【図面の簡単な説明】
【図１】本発明の第１の実施形態を備えるテーブルの斜視図である。
【図２】同じく、分解斜視図である。
【図３】前記第１の実施形態におけるパネルの部品構成を示す分解斜視図である。
【図４】図２におけるＡ部の拡大詳細図である。
【図５】前記第１の実施形態におけるテーブル体への表皮材付きパネルの取付け部分を拡大して一部断面として示す側面図である。
【図６】図５のＢ−Ｂ線断面図である。
【図７】図５のＣ−Ｃ線断面図である。
【図８】本発明の第２の実施形態における表皮材付きパネルの部品構成を示す分解斜視図である。
【図９】前記第２の実施形態におけるブラケットおよび取付け具等の構成を示す分解斜視図である。
【図１０】前記第２の実施形態におけるテーブル体への表皮材付きパネルの取付け部分を拡大し、一部断面として示す側面図である。
【図１１】図１０のＤ−Ｄ線断面図である。
【図１２】図１１のＥ−Ｅ線断面図である。
【符号の説明】
(１)テーブル
(２)天板
(３)脚部
(４)テーブル本体
(５)表皮材付きパネル
(６)パネル本体
(７)表皮材
(８)フレーム
(8a)側辺部材
(8b)上辺部材
(8c)下辺部材
(8d)コーナ部材
(９)ねじ孔
(10)ナット
(11)開口部
(12)ファスナー
(12a)閉具
(13)雄ねじ挿通孔
(14)ブラケット
(14a)掛止片
(14b)基片
(14c)傾斜片
(15)段付きねじ(取付け具)
(16)係止爪
(17)係止孔
(18)掛止孔
(18a)大径孔
(18b)小径孔
(19)雄ねじ
(20)ピン部
(21)頭部
(22)孔
(23)プレート
(24a)奥端面
(25)ねじ孔
(26)取付け具
(27)筒体
(28)段付きピン
(29)縦板部
(30)腕部
(31)雄ねじ挿通孔
(32)止めねじ
【図１】
0004060976.tif 000002
【図２】
0004060976.tif 000003
【図３】
0004060976.tif 000004
【図４】
0004060976.tif 000005
【図５】
0004060976.tif 000006
【図６】
0004060976.tif 000007
【図７】
0004060976.tif 000008
【図８】
0004060976.tif 000009
【図９】
0004060976.tif 000010
【図１０】
0004060976.tif 000011
【図１１】
0004060976.tif 000012
【図１２】
0004060976.tif 000013